(57)【要約】  粘着フィルム（２６）を細長構造（６０）に貼付するフィルムディスペンサ（１０）は、取付フレームと、取付フレーム側部の底部にあるガイド部材（４２、４４、４６、４８）であって、細長構造の肩部と係合することにより、ガイド部材が肩部と係合したままである間に本装置の細長構造に関する移動を可能にするガイド部材と、本装置の上部前端近くでフィルムロールを確実に受容するロール取付アセンブリ（２０、２２）と、を有する。ガイド部材が細長構造の肩部に係合すると、粘着フィルムの端部が細長構造の表面上に貼付され、その後、装置が摺動することにより、さらなる粘着フィルムが、細長構造の表面に関して制御されかつ一貫して横方向に位置合せされて送り出される。
2007510603.tif 000002
【特許請求の範囲】
【請求項１】
細長上面と、各々が該細長上面の対向する側にある２つの肩部と、を有する細長構造に粘着フィルムを分配する装置であって、該２つの肩部が表面幅を画定する、装置であり、
互いに対向する第１フレームサイドパネルおよび第２フレームサイドパネルを有する取付フレームであって、該フレームサイドパネルが合せて、当該装置の後端、前端、上側および底側を画定し、該第１フレームサイドパネルおよび該第２フレームサイドパネルの底部が、少なくとも該表面幅程度の幅であるスリーブ幅を有するスリーブを画定する、取付フレームと、
該第１フレームサイドパネルおよび該第２フレームサイドパネルの該底部のガイド部材であって、該細長構造の該肩部に係合することにより、該ガイド部材が該肩部に係合したままである間に当該装置の該細長構造に関する移動を可能にするガイド部材と、
該上側においてかつ当該装置の該前端に隣接してフィルムロールを確実にかつ回転可能に受容するロール取付アセンブリと、
を備える粘着フィルムを分配する装置。
【請求項２】
前記ガイド部材が、少なくとも該スリーブ内に取り付けられる第１のガイドローラ対を備え、該第１のガイドローラ対が互いに対向し、かつ前記細長構造の前記肩部が該ガイドローラに係合するために入るチャネルを画定する、請求項１に記載の粘着フィルムを分配する装置。
【請求項３】
前記ガイドローラの各々が、ガイドローラ取付部材に、該ガイドローラに隣接する前記フレームサイドパネルのうちの一方の前記底部から角度をなして取り付けられる、請求項２に記載の粘着フィルムを分配する装置。
【請求項４】
前記ガイド部材がさらに、前記スリーブ内に取り付けられる第２のガイドローラ対を備え、該第２のガイドローラ対が、前記第１のガイドローラ対から長手方向にずれており、該第１のガイドローラ対および第２のガイドローラ対が合せて前記チャネルを画定する、請求項２に記載の粘着フィルムを分配する装置。
【請求項５】
ガイドローラが、各ガイドローラが横方向に移動可能であるように各々ばねに取り付けられる、請求項２に記載の粘着フィルムを分配する装置。
【請求項６】
前記ガイドローラ対が、対向するガイドローラ取付部材に、前記フレームサイドパネルの前記底部から角度をなして取り付けられる、請求項２に記載の粘着フィルムを分配する装置。
【請求項７】
前記ロール取付アセンブリが、
前記第１フレームサイドパネルおよび前記第２フレームサイドパネルに各々連結される一対の取付壁であって、互いに面することにより前記フィルムロールを受容する受容空間を画定し、該フィルムロールが、軸の周囲に巻き付けられる１本の前記粘着フィルムを保持するように構成され、該受容空間に受容されると、該フィルムロールが、少なくとも当該装置の前記後端に向う方向に該巻き付けられた粘着フィルムを巻き出すように回転可能である、一対の取付壁
を備える、請求項１に記載の粘着フィルムを分配する装置。
【請求項８】
前記フレームサイドパネルが長手方向に延在し、前記フィルムロールが、確実に受容されると横方向を画定する回転軸を有し、該フィルムロールが、該フィルムロールから巻き出される１本のフィルムが前記細長構造に関して一貫した横方向位置を維持するように、該横方向に固定可能である、請求項１に記載の粘着フィルムを分配する装置。
【請求項９】
前記フィルムロールが、確実に受容されると、該フィルムロールから巻き出される前記フィルムが前記細長構造に関して中心横方向位置を維持するように、中心位置において横方向に固定される、請求項８に記載の粘着フィルムを分配する装置。
【請求項１０】
当該装置の前記後端に隣接する分離バーであって、前記確実に受容されたフィルムロールから巻き出される二層フィルムを第１層と第２層とに分離することにより、該第１層が前記細長構造上を前方方向に方向付けられ、該第２層が当該装置の前記前端に向かって後方方向に方向付けられるようにするのに役立つ、分離バー
をさらに備える、請求項１に記載の粘着フィルムを分配する装置。
【請求項１１】
前記フィルムの前記第２層が、前記第１層から分離され当該装置の前記前端に対して後方に方向付けられた後、実質的に前記細長構造の前記上面に接触しないように、前記２つの対向するフレームサイドパネルに亙って配置される分割パネル
をさらに備える、請求項１０に記載の粘着フィルムを分配する装置。
【請求項１２】
ハンドレール幅を有するハンドレールの上面に粘着フィルムを分配する装置であって、
互いに対向する第１フレームサイドパネルと第２フレームサイドパネルとを有する取付フレームであって、該フレームサイドパネルが合せて、当該装置の後端、前端、上側および底側を画定し、該第１フレームサイドパネルおよび該第２フレームサイドパネルの底部が、少なくとも該ハンドレール幅と同じスリーブ幅を有するスリーブを画定する、取付フレームと、
該第１フレームサイドパネルおよび該第２フレームサイドパネルの該底部のガイド部材であって、該ハンドレールの肩部に係合することにより、該ガイド部材が該肩部に係合したままである間に当該装置の該ハンドレールに関する移動を可能にするガイド部材と、
フィルムロール取付部材と該フィルムロール取付部材に確実に取り付けられるフィルムロールとを含むフィルムロールアセンブリであって、当該装置の該上側の該取付フレームに連結され、該フィルムロールが軸の周囲に巻き付けられる粘着フィルムを保持する、フィルムロールアセンブリと
を備える粘着フィルムを分配する装置。
【請求項１３】
前記ガイド部材が、前記スリーブ内に取り付けられる少なくとも一対のガイドローラを備え、該一対のガイドローラが互いに対向し、かつ前記ハンドレールの前記肩部が該ガイドローラに係合するために入るチャネルを画定する、請求項１２に記載の粘着フィルムを分配する装置。
【請求項１４】
前記フィルムロール取付部材が、
前記第１フレームサイドパネルおよび前記第２フレームサイドパネルのうちの一方に各々連結される一対の取付壁であって、互いに面することにより前記フィルムロールを受容する受容空間を画定し、該フィルムロールが、該受容空間に受容されると、少なくとも当該装置の前記後端に向う方向に前記巻き付けられた粘着フィルムを巻き出すように容易に回転可能である、一対の取付壁
を備える、請求項１２に記載の粘着フィルムを分配する装置。
【請求項１５】
前記フィルムロールが、第１層および第２層を有する二層フィルムを備える、請求項１２に記載の粘着フィルムを分配する装置。
【請求項１６】
前記第１層が前記ハンドレールの前記上面に貼付されるアプリケーションフィルムであり、前記第２層がライナ層である、請求項１５に記載の粘着フィルムを分配する装置。
【請求項１７】
前記二層フィルムが、当該装置の前記後端に向かって引き出される時、前記アプリケーションフィルムが前記ライナの上部にある、請求項１６に記載の粘着フィルムを分配する装置。
【請求項１８】
当該装置の前記後端に隣接する分離バーであって、前記フィルムロールから巻き出される前記二層フィルムを前記第１層と前記第２層とに分離することにより、該第１層が前記ハンドレールの前記上面の上を当該装置の前記後端に方向付けられ、該第２層が当該装置の前記前端に向かって方向付けられるようにするのに役立つ、分離バー
をさらに備える、請求項１５に記載の粘着フィルムを分配する装置。
【請求項１９】
前記第２層が当該装置の前記前端に向かって前記取付フレームの前記底側に隣接するチャネルを通して方向付けられる、請求項１８に記載の粘着フィルムを分配する装置。
【請求項２０】
前記フレームサイドパネルが、前記ハンドレールに平行な長手方向に延在する細長形状を有し、前記フィルムロールが、確実に受容されると横方向を画定する回転軸を有し、該フィルムロールが、確実に受容されると、該フィルムロールから巻き出されるフィルムが該ハンドレールに関して一貫した横方向中心位置を維持するように中心位置において横方向に固定可能である、請求項１２に記載の粘着フィルムを分配する装置。
【請求項２１】
前記粘着フィルムが、前記ハンドレール幅に一致する幅を有する、請求項１２に記載の粘着フィルムを分配する装置。
【請求項２２】
前記粘着フィルムが、前記ハンドレールの前記上面の中心に配置される時、該ハンドレールの肩部を覆うように横方向に延在するように、前記ハンドレール幅より大きい幅を有する、請求項１２に記載の粘着フィルムを分配する装置。
【請求項２３】
前記粘着フィルムが、装飾的である、情報を提供する、保護するまたは防塵であることからなる群から選択される特性のうちの少なくとも１つを有する、請求項１２に記載の粘着フィルムを分配する装置。
【請求項２４】
細長構造の表面に粘着フィルムを分配する方法であって、
該細長構造に摺動可能フィルムディスペンサを係合させるステップであって、該摺動可能フィルムディスペンサが、
前端と後端とを画定する取付フレームと、
該取付フレームのガイド部材であって、該細長構造の肩部と係合することにより、該ガイド部材が該肩部と係合したままで該摺動可能フィルムディスペンサと該細長構造との間の移動を可能にする、ガイド部材と、
軸の周囲に巻き付けられるフィルムロールであって、粘着性アプリケーションフィルムとライナとを有する二層フィルムを備えるフィルムロールと、
該フィルムロールが横方向に固定可能であるように該フィルムロールを確実に受容するフィルムロール取付アセンブリであって、該二層フィルムが該摺動可能フィルムディスペンサの該後端に向かって引き出されることが可能である、フィルムロール取付アセンブリと、
を備える、係合させるステップと、
該二層フィルムの端部を、該粘着性アプリケーションフィルムの端部と該ライナの端部とに分離するステップと、
該粘着性アプリケーションフィルムの該分離された端部を該摺動可能フィルムディスペンサの該後端に向かって方向付けるステップと、
該粘着性アプリケーションフィルムの該分離された端部を該細長構造の該表面上の開始位置に貼付するステップと、
該ライナの該分離された端部を該摺動可能フィルムディスペンサの該前端に向かって方向付けるステップと、
該摺動可能フィルムディスペンサを該前端に向かって摺動させることにより該二層フィルムを巻き出すステップと、
該分離された粘着性アプリケーションフィルムの望ましい部分を該細長構造の該表面に貼付するステップと、
を含む、粘着フィルムを分配する方法。
【請求項２５】
前記細長構造が、エスカレータまたはピープルムーバのハンドレールである、請求項２４に記載の粘着フィルムを分配する方法。
【請求項２６】
前記分離された粘着性アプリケーションフィルムの前記望ましい部分を前記ハンドレールの第１線形部分に貼付するステップと、
該ハンドレールの第２部分を線形位置に位置合せするように該ハンドレールを移動させるステップと、
該分離された粘着性アプリケーションフィルムの別の望ましい部分を該ハンドレールの該第２線形部分に貼付するステップと、
をさらに含む、請求項２５に記載の粘着フィルムを分配する方法。
【請求項２７】
前記粘着性アプリケーションフィルムが、装飾的である、情報を提供する、保護するまたは防塵であることからなる群から選択される特性のうちの少なくとも１つを有する、請求項２４に記載の粘着フィルムを分配する方法。
【請求項２８】
前記摺動可能フィルムディスペンサを摺動させる前記ステップが、手で行われる、請求項２４に記載の粘着フィルムを分配する方法。
【請求項２９】
前記分離された粘着性アプリケーションフィルムを前記細長構造の前記表面に貼付する前記ステップが、手で行われる、請求項２４に記載の粘着フィルムを分配する方法。
【発明の詳細な説明】
【技術分野】
【０００１】
本発明は、構造の表面に粘着フィルムを貼付することに関する。より詳細には、本発明は、エスカレータのハンドレール又はピープルムーバのハンドレール等の細長構造の表面に、情報を与える、装飾的な、または保護する粘着フィルムを貼付することに関する。
【背景技術】
【０００２】
構造の表面を覆うために、さまざまなタイプのフィルムが広く使用されている。構造の表面を覆うために使用されるフィルムの特性、目的及び機能は多様であり、情報、装飾、保護又は除塵を提供することが含まれる。本開示では、任意の有用性のために構造の表面に貼付されるフィルムを、文脈に応じて、アプリケーションフィルム又は単にフィルムと呼ぶ。
【０００３】
構造の表面にフィルムを貼付するために使用される方法及び装置は、アプリケーションフィルムとそのアプリケーションフィルムが貼付される構造との両方の特性に応じて、大きく異なる。典型的な貼付のタイプの１つは、連続フィルムウェブと、大部分が平坦な主面を有する細長構造とに関連する。たとえば、広告が付いた連続フィルムウェブをエスカレータ又はピープルムーバのハンドレールに貼付することが望ましい。かかる貼付の有用性は、容易に理解される。エスカレータ又はピープルムーバのハンドレールは、ショッピングセンタ又は空港等、目抜きの場所の一部で見受けられる。ハンドレールは、通常、無地の黒の外観を有するが、情報を与える、装飾的なまたは保護する粘着フィルムを、エスカレータ又はピープルムーバのハンドレールの外面を覆うために有利に使用することができる、ということが理解される。特に、通常エスカレータに乗る人は、エスカレータ上で相当な時間を費やし、通常、乗っている間、有意な行為は行わないため、エスカレータのハンドレールに表示される広告は、乗る人の注意を有効に引く可能性がある。
【０００４】
フィルム、特に粘着フィルムを、完全に手作業による方法で簡単に貼付することができる。すなわち、フィルム片を、手で送り出し、表面まで移動させ、その表面に手作業で貼付することができる。完全に手作業による方法の問題は、それが手間取るだけでなく、結果が満足のいかないものになるということである。たとえば、フィルムストリップの長い切片を細長い表面に貼付する場合、貼付されたフィルムのしわを避けることは困難である。フィルムに画像が付されている場合、その画像の歪みを避けることも困難である。
【０００５】
本技術分野では、フィルムを構造の表面に貼付するのを容易にする努力がなされてきた。特開平５−３３８６２７号公報は、たとえば、フレームの表面に粘着テープを貼付する装置を開示している。上記特許出願による装置は、フィルムディスペンサであるとともにフィルムアプリケータである。分配する目的のために、装置は、進入路に供給される長いフィルムストックから打ち抜かれたフィルムの切片を使用する。貼付の目的のために、装置は、フィルムを、フレームに貼付するために引き伸ばす。さらに、装置がフィルムを関連する剥離紙から分離するために、剥離紙は、比較的剛性でありフィルムとともに容易に撓まないことが必要である。
【０００６】
国際公開第００／４８９３５号パンフレット及び公開された米国特許出願公開第２００２０１８２４１５Ａ１号明細書は、エスカレータ又は動く歩道のハンドレールにフィルムを貼付する方法を開示している。この方法は、手すりに取り付けられる装置を使用する。使用時、ハンドレールを、装置を通過するように駆動し、それによりフィルムが第１のロールから引き出されるようにし、圧力を加える手段がフィルムをハンドレールに付着させる。これらの特許出願による装置は、適当に取り付けられると比較的自動であるが、静止した手すりに取り付けなければならず、手すりは、真空カップを有する取付手段を受容するために適した面を有していなければならない。装置はまた、ハンドレールの表面に関してフィルムを中心に置くために複雑な位置合せ方法を必要とする。ハンドレールが移動している間にフィルムが分配され貼付されるため、装置を使用することができるようになる前に、確実な取付及び正確な位置合せを注意深く行わなければならない。
【発明の開示】
【発明が解決しようとする課題】
【０００７】
本発明は、細長構造の表面にフィルムを分配し貼付する代替方法を提供する。フィルムディスペンサおよび方法は比較的単純であり、従来技術による装置および方法のいくつかの問題を回避する。
【課題を解決するための手段】
【０００８】
本発明は、細長上面とその細長上面の対向する側にある肩部とを有し、肩部が表面幅を画定する、エスカレータのハンドレールまたはピープルムーバのハンドレール等の細長構造に、粘着フィルムを貼付するフィルムディスペンサである。フィルムディスペンサは、互いに対向する第１フレームサイドパネルおよび第２フレームサイドパネルを有する取付フレームであって、フレームサイドパネルが合せて、フィルムディスペンサの後端、前端、上側および底側を画定し、第１フレームサイドパネルおよび第２フレームサイドパネルの底部が、少なくとも表面幅と同じであるスリーブ幅を有するスリーブを画定する、取付フレームと、第１フレームサイドパネルおよび第２フレームサイドパネルの底部のガイド部材であって、細長構造の肩部に係合することにより、ガイド部材が肩部に係合したままである間にフィルムディスペンサの細長構造に関する移動を可能にするガイド部材と、上側においてかつフィルムディスペンサの前端に隣接してフィルムロールを確実にかつ回転可能に受容するロール取付アセンブリと、を備える。
【０００９】
一実施形態では、ガイド部材は、スリーブ内に取り付けられる少なくとも第１のガイドローラ対を備え、この第１のガイドローラ対は、互いに対向し、かつ細長構造の肩部がガイドローラに係合するために入ることができるチャネルを画定する。
【００１０】
本発明はまた、細長構造の表面に粘着フィルムを貼付する方法でもある。本方法は、細長構造に本発明による摺動可能フィルムディスペンサを係合させるステップと、二層フィルムの端部を、粘着性アプリケーションフィルムとライナとに分離するステップと、粘着性アプリケーションフィルムの分離された端部を摺動可能フィルムディスペンサの後端に向かって方向付けるステップと、粘着性アプリケーションフィルムの分離された端部を細長構造の表面上の開始位置に貼付するステップと、ライナの分離された端部を摺動可能フィルムディスペンサの前端に向かって方向付けるステップと、摺動可能フィルムディスペンサを前端に向かって摺動させることにより二層フィルムを巻き出すステップと、分離された粘着性アプリケーションフィルムの望ましい部分を細長構造の表面に貼付するステップと、を含む。
【００１１】
特にガイドローラ等のガイド部材の使用と、フィルムロールを確実にかつ回転可能に受容するロール取付アセンブリの使用とに関して、本発明によるフィルムディスペンサの設計により、フィルムが、引き伸ばされることなく細長構造の表面に関して制御されかつ一貫して位置決めされて巻き出されることが可能になる。
【００１２】
本発明は、広告情報を有するフィルム等の粘着フィルムを、細長構造の表面に、その細長構造の表面に関して十分正確に位置合せして貼付する、簡単かつ有効な方法を提供する。本発明によるフィルムディスペンサは、手で使用可能であり、精巧な位置合せ方法（レーザ位置合せ等）が不要であり、装置を取り付けるために適する静止した手すりが不要である。その一方で、本発明によるフィルムディスペンサは、従来のように粘着フィルムを表面に手で貼付するより大幅に優れた品質を達成する。
【００１３】
本発明について、以下に列挙した図面を参照してさらに説明する。図面では、いくつかの図を通して同様の構造を同様の数字で参照する。
【発明を実施するための最良の形態】
【００１４】
本発明の斜視図である図１は、取付フレームの主部を形成する第１フレームサイドパネル１２と第２フレームサイドパネル１４とを有するフィルムディスペンサ１０を示す。第１フレームサイドパネル１２および第２フレームサイドパネル１４は、長手方向に沿った細長い形状を有し、長手方向を横切る横方向に亙って互いに対向する。第１フレームサイドパネル１２及び第２フレームサイドパネル１４は合せて、フィルムディスペンサ１０の後端１６および前端１８と、上側（図１では上方に向いている）と、底側（図１では下方に向いている）と、を画定する。
【００１５】
フィルムディスペンサ１０の上側には、第１フレームサイドパネル１２および第２フレームサイドパネル１４にそれぞれ連結された一対の取付壁２０および２２を有するロール取付アセンブリがある。取付壁２０および２２は、互いに面することにより、軸２５の周囲に巻き付けられた１本の二層フィルム２６を保持するように構成されたフィルムロール２４を受容するための受容空間を画定する。取付壁２０および２２は、それぞれスロット２１および２３を有し、それらスロットを通して軸２５が垂直に配置されまたは取り替えられる。フィルムロール２４は、取付壁２０および２２によって画定される受容空間に受容されると、巻き付けられた二層フィルム２６を後端１６に向う方向に巻き出すように回転可能である。さらに、取付壁２０および２２にハンドル２７Ａおよび２７Ｂが配置されることにより、フィルムディスペンサ１０の手による操作が容易になる。
【００１６】
二層フィルム２６の引き出された部分は、以下のような処理経路を辿る。すなわちフィルム２６は、圧力バー３０の下を通過し、その後、平坦化パネル３３の下を通過して、分離バー３２に達し、そこで、粘着性アプリケーションフィルム２８とライナ２９（図５および図６に示すが図１には示さない）とに分離（剥離）される。
【００１７】
フィルムディスペンサ１０の底部から見た図である図２に示すように、フレームサイドパネル１２および１４は、合せて、スリーブ幅ＳＷを有するスリーブ１５を画定する。分割パネル３５は、フレームサイドパネル１２および１４を上部（図４における１２Ａおよび１４Ａ、図２には示さず）と下部１２Ｂおよび１４Ｂとに分割する。スリーブ１５の内側には、ガイドローラ取付部材３８および４０に取り付けられた第１のガイドローラ４２および４４対と第２のガイドローラ４６および４８対とがある。ガイドローラ４２および４４は、互いに対向するようにスリーブ１５に亙って横方向に間隔が空けられている。同様に、ガイドローラ４６および４８は、互いに対向するようにスリーブ１５に亙って横方向に間隔が空けられている。第１のガイドローラ４２および４４対と第２のガイドローラ４６および４８対とは、スリーブ１５に沿って互いから長手方向に間隔が空けられている。そのように配置されたガイドローラ４２、４４、４６および４８は、スリーブ１５のスリーブ幅ＳＷより幅の狭いチャネル幅Ｗ1を有するチャネル１７を画定する。他の図に示すように、細長構造は、フィルムディスペンサ１０の動作中にチャネル１７に入る。図２はまた、フレームサイドパネル１２および１４を連結するクロスバー５２および５４も示す。
【００１８】
フィルムディスペンサ１０の拡大部分の斜視図である図３は、本発明の一実施形態による１つのガイドローラ（たとえばガイドローラ４６）を示す。図３は、フィルムディスペンサ１０の後端１６から見ている。図３に示すように、ガイドローラ４６は、ばね４３を介してガイドローラ取付部材３８に取り付けられる。ガイドローラ（４２、４４、４８）の各々は、ガイドローラ４６に類似する構造を有する。このように、ガイドローラ４２、４４、４６および４８は、横方向にわずかに移動可能であり、それらのそれぞれのばねによりチャネルに向かって内側に付勢される。その結果、ガイドローラ４２、４４、４６および４８が細長構造の肩部（たとえば図５の６４および６６）に係合する時、チャネル１７のチャネル幅Ｗ1はわずかに変動可能である。
【００１９】
図４は、後端１６から見たフィルムディスペンサ１０の端面図である（そこにはフィルムは配置されていない）。この図には、フレームサイドパネル１２および１４と、フレームサイドパネル１２および１４の底部１２Ｂおよび１４Ｂと、後端１６に隣接する２つのガイドローラ４６および４８と、平坦化パネル３３および分割パネル３５と、取付壁２０および２２と、を含む部品の構造的配置がさらに示されている。図４はまた、フィルムディスペンサ１０の後端１６に隣接する分離バー３２の完全な図も示す。
【００２０】
分離バー３２は、確実に受容されたフィルムロール２４から巻き出された後の二層フィルム２６（図１）を粘着性アプリケーションフィルム２８（図１）とライナ２９（図６および図７に示すが、図４には示さず）とに分離するのに役立つ。後の図に示すように、特に図６を参照すると、分離バー３２はまた、分離されたライナ２９がフィルムディスペンサ１０の前端１８に向かって逆戻りする点でもある。
【００２１】
ここで、細長構造６０に取り付けられた時のフィルムディスペンサ１０の斜視図である図５を参照する。この図は、アプリケーションフィルム２８を分配するためにフィルムディスペンサ１０をいかに使用するかを示す。細長構造６０は、細長上面６２と、各々細長上面６２の対向する側にある２つの肩部６４および６６と、を有する。肩部６４および６６は、合せて、表面幅Ｗ2を画定する。図２および図４に関連して見ると、使用中、細長構造６０はスリーブ１５の内側にあるチャネル１７（図２）に入ることにより、ガイドローラ４２、４４、４６および４８（図２）と係合する。
【００２２】
ここで、「肩」「肩部」「係合する」「係合している」および「係合された」という用語は、広く理解される。これらの用語の意味は、主に、一定の特定の幾何学形状ではなく本発明による機能的な文脈によって定義される。肩または肩部は、少なくとも、構造の主平坦面とは区別されるべきであるが、図５に示すものと同じである必要はない。たとえば、肩部は、本発明によるガイド部材に係合するために主平坦面（たとえば図５における上面６２）と角度を形成する必要があるが、主平坦面とおよそ直角である必要はない。肩部は主平坦面に隣接しかつそれに連結される必要があり、主面が静止している時、静止し続けるが、主平坦面との一体部品である必要も、主平坦面と同じ面の単なる一体部分を形成する必要もない。「係合する」「係合している」または「係合された」という用語は、２つの関連部分が物理的に互いに接触することを意味する。図示する実施形態では、ガイドローラ４２、４４、４６および４８は、対応する肩部６４および６６を挟む（ｎｉｐ  ｏｎ）。
【００２３】
図５では、ライナ２９は、分離バー３２によって粘着性アプリケーションフィルム２８から分離されフィルムディスペンサ１０の前端１８に向かっておよそ１８０°逆戻りする際に、粘着性アプリケーションフィルム２８の下にあるように示されている。
【００２４】
本発明によるフィルムディスペンサ１０を設計する際、チャネル幅Ｗ1は、フィルムディスペンサが使用される細長構造の表面幅Ｗ2に従って選択される。好ましくは、Ｗ1は、ばね（４３および４５ならびに図示しない他のばね）が弛緩している時に測定され、ガイドローラが構造の肩部に係合する時に挟み効果をもたらすために、Ｗ2とおよそ同じであるか又はそれよりわずかに小さくなければならない。たとえば、通常のエスカレータのハンドレールの幅は約８０ｍｍである。適当なフィルムディスペンサの寸法、特にチャネル幅Ｗ1は、それに従って、ばねの可撓性がチャネル幅Ｗ1のある程度の変動を提供することを考慮して設計されるべきである。
【００２５】
フィルムディスペンサ１０の主な構造上の部品、特にフレームサイドパネル１２および１４、取付壁２０および２２、ならびに好ましくは平坦化パネル３３および分割パネル３５および３７は、剛性材料から作製される。材料は、比較的軽量であることが好ましく、成形工程に対して優れた特性等、優れた製造可能性を有する。フィルムディスペンサ１０の満足のいくプロトタイプを作製するためにアクリル樹脂が使用されてきたが、実際の製造では種々の他の材料を使用してもよい。特定のプロトタイプでは、フレームサイドパネル１２および１４と取付壁２０および２２とは、１８ｍｍ厚さのアクリルパネルから作製され、平坦化パネル３３と分割パネル３５および３７とは、８ｍｍ厚さのアクリルパネルから作製される。
【００２６】
動作時、フィルムディスペンサ１０は、まず細長構造６０に係合する。細長構造６０はチャネル１７内に受容され、その際、クロスバー５２および５４（図２および図４）は細長構造６０の上面６２の近くにあるか又は上面６２に係合している。二層フィルム２６の端部は引き出されフィルムディスペンサ１０の後端１６に向かって方向付けられる。二層フィルム２６の引き出された端部は、粘着性アプリケーションフィルム２８とライナ２０とに分離される。粘着性アプリケーションフィルム２８の分離された端部２８Ａはさらに、細長構造６０の上面６２上の開始位置３１まで導かれかつそこに貼付される。同時に、ライナ２９の分離された端部は、分離バー３２においてフィルムディスペンサ１０の前端１８に向かって方向付けられる。ライナ２９は、分離バー３２において急カーブし（およそ１８０°）、分離バー３２の周囲に少なくとも部分的に巻き付く。
【００２７】
そして、フィルムディスペンサ１０は、前端１８の方に摺動する。摺動動作中、粘着性アプリケーションフィルム２８の分離された端部２８Ａが上面６２に貼付され開始位置３１に接着固定されているため、二層フィルム２６に、フィルム２６をフィルムディスペンサ１０の後端１６に向かって引っ張るための張力が形成される。フィルムロール２４は、取付壁２０および２２によって画定される受容空間内に確実に受容され、取付フレーム（１２および１４）ならびに取付壁２０および２２に関して長手方向に移動しないため、回転トルクがフィルムロール２４に伝達され、フィルムロール２４が軸２５の周囲を回転する。フィルムロール２４の回転により、フィルム２６はフィルムロール２４から巻き出される。
【００２８】
分離バー３２は、ライナ２９が粘着性アプリケーションフィルム２８から分離し分離したライナ２９が前端１８に向かうのを容易にする。
【００２９】
十分な長さのフィルム２６が引き出されかつ分離された後、分離された粘着性アプリケーションフィルム２８の望ましい部分が、細長構造６０の面６２に貼付される。分離されたライナ２９は、さらにフィルムディスペンサ１０の前端１８から引き出され、必要な場合はそこから排出される（図５において二点鎖線で示すライナ２９によって示す）。この工程は、粘着性アプリケーションフィルム２９によって覆われる必要のある細長構造６０の部分に対しフィルムの貼付を完了するために必要に応じて繰り返される。
【００３０】
粘着性アプリケーションフィルム２９は、構造６０の表面６２上に適当に固定されかつ位置合せされて分配されると、手によるかまたはスキージを使用することを含む本技術分野において既知である任意の方法を使用して、表面６２上にさらに貼付されてもよい。フィルム貼付が完了した後、フィルムディスペンサ１０は細長構造６０から取り除かれる。貼付されたフィルム（アプリケーションフィルム２９）の切断端部を、エッジシールテープ（米国ミネソタ州セントポールの３Ｍコーポレーション（３Ｍ  Ｃｏｒｐ．（Ｓｔ．Ｐａｕｌ，Ｍｉｎｎｅｓｏｔａ，ＵＳＡ））から販売されている透明なオーバーラミネーションフィルムＶＳ１０４８２等）を使用して覆うことにより固定してもよい。フィルムロール２４に使用可能な量のフィルム２６が残っている場合、残りのフィルムの切断端部もまた、望ましい場合は覆って固定してもよい。
【００３１】
平坦化パネル３３は、引き出されたフィルム２６を、そのフィルムの平滑かつ一貫した分配および貼付がより容易に達成されるように抑えるのに役立つ。平坦化パネル３３はさらに、平坦化パネル３３の下を通過している、引き出されたフィルム２６との擦れを通して摩擦を提供する。この摩擦は、操作者が細長構造６０に沿ったフィルムディスペンサ１０の移動を停止する時にフィルム２６が不必要に引き出されるのを防止するのに役立つ。
【００３２】
分割パネル３５および３７は、主に、引き出され分離されたライナ２９が前端１８に向かって通過するチャネル（図６および図７のチャネル１９）を提供する。これにより、引き出され分離されたライナ２９が他の部品またはフィルムと絡み合うのが防止され、さらに、引き出され分離されたライナ２９を前端１８から取り除くことが容易になる。
【００３３】
フィルムディスペンサ１０の構造および動作モードを、図６および図７にさらに示す。図６は、フィルムディスペンサ１０の長手方向中心線Ｃ１−Ｃ１（図４）に沿ったフィルムディスペンサ１０の断面図である。矢印Ａは、通常の動作中のフィルムディスペンサ１０の摺動方向を示す。この図では、分割パネル３５および３７は、分離したライナ２９がフィルムディスペンサ１０の前端１８に向かって方向付けられる際に通るチャネル１９を画定するように示されている。
【００３４】
図７は、横方向切断線Ｃ２−Ｃ２（図６）に沿ったフィルムディスペンサ１０の断面図である。この図では、以下の部品の相対位置が示されている。すなわち、細長構造６０と、肩部６４および６６と、ガイドローラ４６および４８と、ばね４３および４５と、ガイドローラ取付部材３８および４０と、フレームサイドパネル１２および１４と、平坦化パネル３３と、分割パネル３５および分割パネル３５および３７と、フィルム２６およびその２つの層（粘着性アプリケーションフィルム２８およびライナ２９）と、前端１８に向かって（図示しないが紙の中に向う方向に）分割パネル３７の下を通過する分離したライナ２９と、である。図７には、分離したライナ２９を前端１８に方向付けるチャネル１９もまた示されている。
【００３５】
原則として必要ではないが、細長構造６０自体が静止している間にフィルムディスペンサ１０の動作が行われることが好ましい。これにより、フィルム貼付においてより優れた安定性、制御および精度が提供され、フィルムディスペンサ１０の１人または複数の操作者が移動面（たとえば細長構造６０の面６２）またはその関連する移動部品（すなわち動く歩道またはエスカレータの階段）と調整（ｎｅｇｏｔｉａｔｅ）しなければならないという必要がなくなる。
【００３６】
フィルムディスペンサ１０は、剛性かつ比較的直線状の細長い形状であるため、実質的に平坦かつ線形である面に対してもっとも有効である。たとえば、エスカレータまたはピープルムーバのハンドレールで使用される場合、ハンドレールの一部のみが常に線形形状で提示されるため、フィルムをハンドレールの第１の線形部分に貼付し、その後、フィルムをハンドレールの第２線形部分に貼付するためにハンドレールの第２の部分を線形位置に位置合せするようにハンドレールを移動させることが必要である。
【００３７】
本発明は、広告情報を有するフィルムまたは保護フィルム等の粘着フィルムを細長構造の上面に、フィルムを細長構造の面に関して十分に正確に位置合せして貼付する、単純であるが効率的な方法を提供する。フィルムディスペンサを使用して、アプリケーションフィルムを比較的長さの短い面に貼付することができるが、ロール形状の連続したウェブのアプリケーションフィルムを比較的長さの長い面に貼付することも可能である。本発明によるフィルムディスペンサのサンプルを、連続貼付モードで３０ｍより長いエスカレータハンドレール部分に粘着フィルムを貼付するために使用することに成功した。
【００３８】
本発明によるフィルムディスペンサは、手で使用可能であり、精巧な位置合せ方法（レーザ位置合せ等）が不要であり、使用の際に装置を取り付けるために追加の取付または位置合せ面（静止した手すり等）が不要である。その一方で、本発明による装置は、粘着フィルムを面に単に手で貼付するよりも大幅に優れた品質を達成する。
【００３９】
本発明は、以下の組み合わせである。すなわち、ガイド部材を使用して細長構造の肩部に係合することにより、フィルムディスペンサと細長構造との正確かつ一貫した相対的位置合せを確実にすることと、フィルムロールを確実かつ回転可能に受容するロール取付部材を使用することと、面にすでに貼付されたフィルムの端部を固定点として使用することにより、フィルムディスペンサの摺動動作中にフィルムがフィルムロールから自動的に巻き出されるのを確実にすることと、である。取付フレームを使用して、厳密な長手方向寸法および横方向寸法を画定し、ガイド部材およびロール取付部材を支持する。フィルムロールは横方向に固定することができ、そのため、フィルムロールから巻き出された１本のフィルムが、細長構造に関して一貫した横方向位置を維持する。望ましい場合、フィルムロールを中心位置において横方向に固定することができ、それによりフィルムロールから巻き出されるフィルムが、細長構造に関して中心横方向位置を維持する。
【００４０】
当業者は、上記本質的な発明の概念を具現化するためにさまざまな実施形態を使用してもよい、ということを容易に理解するであろう。たとえば、ガイドローラ（４２、４４、４６および４８）を使用する以外の方法を使用して、細長構造の肩部が係合して通過してもよいチャネルを生成してもよい。かかる目的を達成するガイド部材は、単に、細長構造の肩部にずれることなくかつ摺動可能に接触する側壁またはスキッドであってもよい。さらに、ガイド部材（図示する実施形態ではガイドローラ４２、４４、４６および４８）は、別々の取付部材（たとえば、図２におけるガイドローラ取付部材３８および４０）に取り付けられる必要はなく、それらを、フレームサイドパネル１２および１４の底部１２Ｂおよび１４Ｂに直接取り付けることができる。
【００４１】
さらに、本発明によるフィルムロールを確実にかつ回転可能に受容する機能を達成するために、図１〜図７の実施形態に示すロール取付アセンブリの代りに、スピンドル機構を含む、本技術分野において一般に知られている任意の方法および機構を使用してもよい。完全に手作業による方法と比較して本発明の有意な利点は、粘着性アプリケーションフィルムが、引っ張られることなく、下にある細長構造に関して正確にかつ一貫して横方向に位置合せされて自動的に分配される、ということである。これにより、分配されたフィルムが（横方向にも長手方向にも）最終的にしわがなくかつ歪みがなく貼付されることが確実になる。この特徴のみに対しては、粘着性アプリケーションフィルムの幅は、細長構造の面全体（上面および肩部）を覆う必要はない。粘着性アプリケーションフィルムの幅は、さらに、細長構造の上面全体を覆う必要はない。粘着性アプリケーションフィルムの幅はさらに、細長構造に関して正確に中心が置かれる必要はない。それは、しわのないかつ歪みのない貼付に寄与するのは、おもに、フィルムの直線性と細長構造に関する一貫した相対的な横方向の位置合せであるためである。しかしながら、外観または他の理由のために、一実施形態では、少なくとも粘着性アプリケーションフィルムは、細長構造の面全体を覆うために十分な幅を有する。実施形態によっては、粘着性アプリケーションフィルムは、細長構造の面に中心が置かれる。
【００４２】
フィルム（２６）は、アプリケーションフィルム（２８）に加えてライナ（２９）を有する二層フィルムである必要はない。本技術分野において、ライナなし粘着フィルムをロール形式で分配することができる、ということは既知である。しかしながら、ライナを使用することにより、フィルム分配の特性が改善されるだけでなく、より広範囲の接着剤を利用することができるようになる。たとえば、接着剤によっては、一定の材料の面に貼付される時、優れた接着特性を有する場合があるが、ライナなしでロール形状で使用することが困難な場合がある。この状況では、適合するライナを使用することにより、かかる接着剤を、特定の材料の面に貼付する目的で使用することが可能になる。
【００４３】
ＰＣＴ特許出願国際公開第００／４８９３５号パンフレットおよび公開された米国特許出願公開第２００２０１８２４１５Ａ１号明細書（引用により本明細書に包含されたものとする）に開示されたものを含むさまざまなタイプのフィルムを使用してもよい。アプリケーションフィルムの選択には、後述するような２つの態様の考慮事項がある。
【００４４】
第１の態様は、貼付の目的に関する。アプリケーションフィルムは、広告等の情報のために使用される場合、かかる目的のために適したメッセージまたは画像が付されているべきであり、そのメッセージまたは画像は見る人に見えなければならない。熱転写可能画像プロセス等のさまざまな方法を使用して、フィルムに画像をプリントしまたは転写してもよい。たとえば、スコッチプリント（Ｓｃｏｔｃｈｐｒｉｎｔ）（登録商標）９５１２静電プリンタシステム（米国ミネソタ州セントポールの３Ｍコーポレーション（３Ｍ  Ｃｏｒｐ．（Ｓｔ．Ｐａｕｌ，Ｍｉｎｎｅｓｏｔａ，ＵＳＡ））製）により、トライデント（Ｔｒｉｄｅｎｔ）転写媒体（３Ｍコーポレーション（３Ｍ  Ｃｏｒｐ．）製）に熱転写可能なデジタル画像を作成することができる。そして、デジタル画像は、オルカ（Ｏｒｃａ）ＩＩＩ熱ラミネータ（イリノイ州ノースブルックのＧＢＣ（ＧＢＣ（Ｎｏｒｔｈｂｒｏｏｋ，ＩＬ））製）を使用することにより、ホワイトウレタンレセプタ粘着フィルム（３Ｍコーポレーション（３Ｍ  Ｃｏｒｐ．）製のスコッチカル（Ｓｃｏｔｃｈｃａｌ）（登録商標）フィルム１１００−１０等）に熱転写される。この種の成功したサンプルを、以下の動作条件下で作製した。すなわち、上限ロール温度１３５℃、下限ロール温度５０℃、動作速度７０ｃｍ／分およびロールニップ圧力６０ｐｓｉである。
【００４５】
アプリケーションフィルムは、保護目的で使用される場合、かかる目的に適した特性を有していなければならない。情報目的と保護目的とを組み合わせて使用してもよい。さらに、フィルム自体が構造の下にある面を保護するか否かに関わらず、アプリケーションフィルム自体にある画像は、保護される必要がある場合がある。この目的のために、アプリケーションフィルム自体は、追加の保護フィルムによって覆われる粘着性アプリケーションフィルムを含む多層フィルムであってもよい。追加の保護フィルムはまた、トナーフィルムとして機能してもよく、または別法として、別個のトナーフィルムを、粘着性アプリケーションフィルムおよび保護フィルムと合せて積層させてもよい。かかる多層フィルムの成功した例を、３Ｍコーポレーション（３Ｍ  Ｃｏｒｐ．）製のオーバーラミネーションフィルムＶＳ１０４８２を使用して室温で作製した。
【００４６】
貼付可能フィルムを選択する第２の態様は、フィルムが貼付される構造の面へのその接着性に関する。貼付の目的に応じて、貼付されるフィルムを、永久的に設計しても取外し可能に設計してもよい。これは、アプリケーションフィルムに対する接着剤の選択に影響する。接着剤の性能は、さらに、フィルムが貼付される面の特性によって決まる。たとえば、適当なフィルム接着のためにエスカレータまたはピープルムーバのハンドレールに、スコッチカル（Ｓｃｏｔｃｈｃａｌ）（登録商標）フィルム１１００−１０（たとえば、２メチル・ブチル・アクリレートおよびビスアミドで架橋されたアクリル酸共重合体を含む接着層を有する）を使用する可能性がある場合、ハンドレールは、従来のブタジエンスチレンゴム（ＳＢＲ）の代りにハイパロン（Ｈｙｐａｌｏｎ）ゴムから作製される必要がある場合がある。スコッチカル（Ｓｃｏｔｃｈｃａｌ）（登録商標）フィルム１１００−１０の接着剤は、ＳＢＲには適当に接着しないが、ハイパロン（Ｈｙｐａｌｏｎ）ゴムには適している。ハイパロン（Ｈｙｐａｌｏｎ）ゴムは、米国デラウェア州ウィルミントンのデュポン（Ｄｕｐｏｎｔ（Ｗｉｌｍｉｎｇｔｏｎ，ＤＥ，ＵＳＡ））製のクロロスルホン化ゴム（クロロスルホン化ポリエチレンから作製される）である。クロロスルホン化ゴムはＵＶ保護を強化しており、着色可能である。
【００４７】
分離バー（３２）は、アプリケーションフィルム（２８）とライナ（２９）との間の分離を容易にし、ライナをフィルムディスペンサの前端に方向付けるのに役立つ。アプリケーションフィルムとライナとの分離を、本発明を実施するために本技術分野において既知である任意の方法で行ってもよいが、本発明の一実施形態で例示した分離バーは、簡単かつ有効な分離を提供し、さらに分離したライナを方向付けるのにも役立つ。
【００４８】
当業者はまた、圧力バー３０、平坦化パネル３３、分割パネル３５および３７ならびにクロスバー５２および５４等の追加の特徴が、本発明によるフィルムディスペンサの基本設計をさらに改善するのを助けるが、これら追加の特徴の開示が、本発明の必要な構造または方法に関して限定することを意味していない、ということを容易に理解するであろう。
【００４９】
本発明を好ましい実施形態に関して説明したが、当業者は、本発明の精神および範囲から逸脱することなく形態および詳細において変更を行ってもよい、ということを理解するであろう。
【図面の簡単な説明】
【００５０】
【図１】本発明によるフィルムディスペンサの斜視図である。
【図２】本発明によるフィルムディスペンサの底部から見た図である。
【図３】ガイド部材の一実施形態の詳細を示す本発明によるフィルムディスペンサの拡大部分の斜視図である。
【図４】後端から見た場合の本発明によるフィルムディスペンサの端面図である。
【図５】細長構造に取り付けられた場合の本発明によるフィルムディスペンサの斜視図である。
【図６】フィルムディスペンサの図４における長手方向中心線Ｃ１−Ｃ１に沿った本発明によるフィルムディスペンサの断面図である。
【図７】図６の線Ｃ２−Ｃ２に沿った本発明によるフィルムディスペンサの断面図である。
【図１】
2007510603.tif 000003
【図２】
2007510603.tif 000004
【図３】
2007510603.tif 000005
【図４】
2007510603.tif 000006
【図５】
2007510603.tif 000007
【図６】
2007510603.tif 000008
【図７】
2007510603.tif 000009
【国際調査報告】
2007510603.tif 000010
2007510603.tif 000011